(57)【要約】【課題】用紙の上下及び裏表を簡単にそろえることのできる用紙整理装置を提供する。【解決手段】投票用紙整理装置１は、上面が開口した直方体形状の本体２と、本体２の開口した上面を覆うようにネジで固定された矩形板状の天板部３とを備えている。天板部３には、天板部３の四隅から天板部３の中心部に向かって形成された、４つの溝４が設けられている。それぞれの溝４に沿って移動可能なピン５が設けられ、ピン５は、本体２の４隅に設けられた穴部７を通る紐８を引っ張ることで、溝４の中心端４ａから周縁端４ｂに向かって移動するようになっている。４つの紐８の端部はまとめられて、把持部９を構成している。また、天板部３の周縁には、周縁の４辺それぞれに２つずつ、合計８個のＬ字状の部材６が設けられており、２つずつの部材６が、それぞれの溝４を挟んで互いに反対側に配置されている。【選択図】図１
2006264924.tif 000002
【特許請求の範囲】
【請求項１】
矩形状の用紙であって、１つの角に穴を設け、前記用紙を上下及び裏表をばらばらにして複数重ねて直方体状の用紙の束にしたときに、前記用紙のそれぞれに設けられた前記穴が上方から見えるように、残りの３つの角に切欠部を設けた、複数の用紙の上下及び裏表をそろえる用紙整理装置において、
前記用紙整理装置は、前記穴に挿入可能かつ移動可能な４つのピンを備え、
それぞれの前記用紙の前記穴に前記ピンのいずれか１つを挿入するようにして、前記用紙の束を前記用紙整理装置に装着した後、前記４つのピンのそれぞれを異なる方向に移動することによって、前記用紙の束が前記４つのピンのそれぞれに係合された用紙のまとまりとして４つに分割されることを特徴とする用紙整理装置。
【請求項２】
前記用紙整理装置は、
前記４つのピンのそれぞれの前記移動途中において、前記用紙の隣接する２辺に当接して、前記４つのピンのそれぞれに係合された用紙の移動を抑制するストッパー
を備えることを特徴とする請求項１に記載の用紙整理装置。
【請求項３】
前記ストッパーは、前記４つのピンのそれぞれの移動軌跡を挟んで互いに反対側に配置される２つの部材を備え、
それぞれの前記部材が前記用紙の前記隣接する２辺のうちの１辺に当接することを特徴とする請求項１または２に記載の用紙整理装置。
【請求項４】
前記４つのピンのそれぞれが、同期して移動することを特徴とする請求項１〜３のいずれか一項に記載の用紙整理装置。
【請求項５】
前記４つのピンのそれぞれを移動させるためのモーターを備えることを特徴とする請求項１〜４のいずれか一項に記載の用紙整理装置。
【請求項６】
外周面に雄ねじが形成され、回転可能な回転部材と、
前記回転部材の前記雄ねじに係合する雌ねじを有し、前記ピンに連結する回転変換部材と
を備え、
前記回転変換部材は、前記回転部材の回転に応じて、前記回転部材に沿って移動することを特徴とする請求項５に記載の用紙整理装置。
【請求項７】
前記回転変換部材及び前記回転部材は、前記４つのピンに対応して設けられ、
前記回転部材のうちの１つが、前記モーターによって回転され、
前記モーターによって回転される前記回転部材の回転を、他の前記回転部材に伝達するかさ歯車機構を備えることを特徴とする請求項６に記載の用紙整理装置。
【請求項８】
前記回転変換部材の移動に伴って、前記４つのピンを移動するリンク部材を備える請求項６に記載の用紙整理装置。
【発明の詳細な説明】
【技術分野】
【０００１】
この発明は、用紙整理装置に係り、特に、選挙の開票作業において使用される投票用紙整理装置に関する。
【背景技術】
【０００２】
国会議員、県知事、市町村長等の選挙において、選挙民は必要事項を投票用紙に記入した後、この投票用紙を二つ折りにして投票箱に投入する。選挙終了後の開票については、選挙管理委員の立ち合いのもと、投票箱から投票用紙が取り出され、人手によって折り曲げられた投票用紙を広げると共に、投票用紙の上下及び裏表をそろえた後、投票結果の集計が行われる。このような開票作業の手間を省くために、平らな投票用紙を二つ折りにした後に元の平らな投票用紙に戻るような、いわゆる折り曲げ復元性を有した投票用紙が、例えば、特許文献１に記載されている。
【０００３】
【特許文献１】特開平９−１９７４号公報
【発明の開示】
【発明が解決しようとする課題】
【０００４】
しかしながら、折り曲げ復元性を有した投票用紙を使用しても、投票用紙の上下及び裏表をそろえる作業を省くことはできないため、開票作業の効率化が、未だ完全に達成されていないという問題点があった。
【０００５】
この発明は、このような問題点を解決するためになされたもので、用紙の上下及び裏表を簡単にそろえることのできる用紙整理装置を提供することを目的とする。
【課題を解決するための手段】
【０００６】
この発明に係る用紙整理装置は、矩形状の用紙であって、１つの角に穴を設け、用紙を上下及び裏表をばらばらにして複数重ねて直方体状の用紙の束にしたときに、用紙のそれぞれに設けられた穴が上方から見えるように、残りの３つの角に切欠部を設けた、複数の用紙の上下及び裏表をそろえる用紙整理装置において、用紙整理装置は、穴に挿入可能かつ移動可能な４つのピンを備え、それぞれの用紙の穴にピンのいずれか１つを挿入するようにして、用紙の束を用紙整理装置に装着した後、４つのピンのそれぞれを異なる方向に移動することによって、用紙の束が４つのピンのそれぞれに係合された用紙のまとまりとして４つに分割されることを特徴とする。
用紙整理装置は、４つのピンのそれぞれの移動途中において、用紙の隣接する２辺に当接して、４つのピンのそれぞれに係合された用紙の移動を抑制するストッパーを備えてもよい。
ストッパーは、４つのピンのそれぞれの移動軌跡を挟んで互いに反対側に配置される２つの部材を備え、それぞれの部材が用紙の隣接する２辺のうちの１辺に当接してもよい。
４つのピンのそれぞれが、同期して移動してもよい。
４つのピンのそれぞれを移動させるためのモーターを備えてもよい。
外周面に雄ねじが形成され、回転可能な回転部材と、回転部材の雄ねじに係合する雌ねじを有し、ピンに連結する回転変換部材とを備え、回転変換部材は、回転部材の回転に応じて、回転部材に沿って移動するようにしてもよい。
回転変換部材及び回転部材は、４つのピンに対応して設けられ、回転部材のうちの１つが、モーターによって回転され、モーターによって回転される回転部材の回転を、他の回転部材に伝達するかさ歯車機構を備えてもよい。
回転変換部材の移動に伴って、４つのピンを移動するリンク部材を備えてもよい。
【発明の効果】
【０００７】
この発明によれば、それぞれの用紙の穴にピンのいずれか１つを挿入するようにして、用紙の束を用紙整理装置に装着した後、４つのピンのそれぞれを異なる方向に移動することによって、用紙の束が４つのピンのそれぞれに係合された用紙のまとまりとして４つに分割されるので、用紙の上下及び裏表を簡単にそろえることができる。
【発明を実施するための最良の形態】
【０００８】
以下、この発明の実施の形態を添付図面に基づいて説明する。
実施の形態１．
この実施の形態１に係る用紙整理装置の斜視図を、図１に示す。投票用紙整理装置１は、上面が開口した直方体形状の本体２と、本体２の開口した上面を覆うようにネジで固定された矩形板状の天板部３とを備えている。天板部３には、天板部３の四隅から天板部３の中心部に向かって形成された、４つの溝４が設けられている。それぞれの溝４に沿って移動可能なピン５が設けられ、ピン５は、本体２の４隅に設けられた穴部７を通る紐８を引っ張ることで、溝４の中心端４ａから周縁端４ｂに向かって移動するようになっている。すなわち、溝４は、ピン５の移動軌跡を構成する。４つの紐８の端部はまとめられて、把持部９を構成している。また、天板部３の周縁には、周縁の４辺それぞれに２つずつ、合計８個のＬ字状の部材６が設けられており、２つずつの部材６が、それぞれの溝４を挟んで互いに反対側に配置されている。ここで、部材６は、ストッパーを構成する。
【０００９】
図２に、天板部３を取り除いた状態の、投票用紙整理装置１の斜視図を示す。本体２の底面２ａには、本体２のそれぞれの四隅から中心部に向かって４本のレール１１が設けられている。それぞれのレール１１は、上方から見たときに、天板部３に設けられたそれぞれの溝４（図１参照）に一致する配置となっている。それぞれのレール１１には、レール１１に沿って移動可能な直方体形状の移動部材１２が設けられている。移動部材１２の６つの面のうち、本体２の四隅に対向する面には、先端がとがったピン５が鉛直上向きになるように設けられ、止め具１３によって固定されている。また、この面には、紐８の一端がネジ１４によって接続されている。紐８は、本体２の四隅に設けられた穴部７を介して、本体２の内部から外部へ通じ、他端が把持部９としてまとめられている。これにより、紐８を引っ張ると、移動部材１２がレール１１に沿って、中心端１１ａから周縁端１１ｂに向かって移動するようになっている。
【００１０】
次に、この実施の形態１において使用される投票用紙の形状について、図３及び４を用いて説明する。
図３に示されるように、投票用紙２０は、公知の折り曲げ復元性を有した矩形状の紙から形成されている。投票用紙２０の４つの角のうちの３つは、直角二等辺三角形状にカットされて切欠部２１を形成し、残りの１つの角には、ピン５が通る大きさの穴２２が形成されている。ここで、穴２２が設けられた矩形の短辺側を上と定義し、文字及び図形等の記載がある面を表と定義する。
図４に示されるように、複数の投票用紙２０が、それらの上下及び裏表をばらばらにして、直方体状の投票用紙の束２３としてまとめられると、投票用紙の束２３の四隅のそれぞれには、切欠部２１よりも外側に穴２２が現れるようになっている。すなわち、投票用紙２０のそれぞれに形成された穴２２が、投票用紙の束２３の上方から見えるようになっている。
【００１１】
次に、この発明の実施の形態１に係る投票用紙整理装置の動作について説明する。
投票終了後、投票箱から投票用紙を取り出し、開票時の慣習作業として、取り出された投票用紙を人手によってかきまぜる。この際、投票用紙は折り曲げ復元性を有する紙なので、二つ折りの状態から元の平らの状態に戻る。この後、適当な枚数の投票用紙を束にしていくが、図４に示されるように、それぞれの投票用紙２０の上下及び裏表がばらばらになった投票用紙の束２３となる。
図５に示されるように、投票用紙の束２３の四隅に現れた穴２２に、ピン５を通すようにして、投票用紙の束２３を投票用紙整理装置１に装着する。この際、４つのピン５のそれぞれは、それぞれの溝４の中心端４ａに位置している。
【００１２】
投票用紙の束２３を投票用紙整理装置１に設置した後、把持部９を持って４本の紐８を引っ張ると、４つのピン５のそれぞれが同期して、溝４に沿って中心端４ａから周縁端４ｂに向かって移動する。すると、図６に示されるように、それぞれのピン５に係合する各投票用紙２０は、穴２２の位置はそろっているものの他の隅の位置がばらばらになった状態で、それぞれのピン５に引っ張られるようにして移動する。それぞれのピン５に係合する各投票用紙２０は、投票用紙の束２３において穴２２（図３または４を参照）の位置が同じであったものなので、上下及び裏表の位置がそろっている。したがって、投票用紙２０の上下及び裏表がばらばらになってまとまった投票用紙の束２３は、上下及び裏表を同じにする投票用紙２０の４つのまとまりに分割される。
【００１３】
ピン５がさらに周縁端４ｂに向かって移動すると、図７に示されるように、それぞれのピン５に係合する投票用紙２０は、穴２２（図３または４を参照）が設けられた角を構成する隣接する２辺が２つの部材６に当接することによって、四隅がそろえられる。それぞれのピン５に係合する投票用紙２０は上下及び裏表を同じにするので、それぞれのピン５に係合する投票用紙２０の束は、各投票用紙２０の上下及び裏表及び四隅のそろった整理された４つの束となる。これら４つの束を、それぞれのピン５から取り外して、各投票用紙２０の上下及び裏表が同じになるように重ねると、各投票用紙２０の上下及び裏表がそろった、整理された１つの束となる。各投票用紙２０が整理された束にまとめられた後、投票結果の集計作業が開始される。
【００１４】
このように、それぞれの投票用紙２０の穴２２にピン５のいずれか１つを挿入するようにして投票用紙の束２３を投票用紙整理装置１に装着した後、４つのピン５のそれぞれを中心端４ａから周縁端４ｂに向かって移動することによって、投票用紙の束２３が４つのピン５のそれぞれに係合された用紙のまとまりとして４つに分割されるので、投票用紙２０の上下及び裏表を簡単にそろえることができる。
また、４つのピン５のそれぞれの移動途中において、投票用紙２０の隣接する２辺に当接して、４つのピン５のそれぞれに係合された投票用紙２０の移動を抑制するストッパーを設けたので、投票用紙の束２３を４つに分割したときに、ピン５に係合される投票用紙の４隅をそろえることができる。
さらに、４つのピン５のそれぞれが同期して、中心端４ａから周縁端４ｂに向かって移動するので、１つ１つのピン５が別々に移動する場合に比べて、迅速に投票用紙の整理を行うことができる。
【００１５】
この実施の形態１では、ストッパーとして、２つのＬ字状の部材６を、それぞれの溝４を挟んで互いに反対側に配置したが、この形態に限定するものではない。図８に示されるように、２つのＬ字状の部材６を組み合わせて、投票用紙２０が当接する板状部分のそれぞれの面を垂直に接続したストッパー３０を使用してもよい。このストッパー３０を、それぞれの溝４上に設けると、ピン５が溝４に沿って周縁端４ｂに向かって移動する際に、ピン５がストッパー３０に阻止されてストッパー３０より周縁端４ｂ側に移動することがないので、紐８を引っ張る力が強すぎても、過大な力が投票用紙２０に加わるのを防止できる。
また、この実施の形態１では、４つのピン５を同期して移動したが、これに限定するものではない。それぞれのピン５を別々に移動してもよいし、２本ずつ移動してもよい。
【００１６】
実施の形態２．
次に、この発明の実施の形態２に係る投票用紙整理装置を説明する。尚、以下の実施の形態において、図１〜７の参照符号と同一の符号は、同一又は同様な構成要素であるので、その詳細な説明は省略する。
この発明の実施の形態２に係る投票用紙整理装置は、実施の形態１に対して、移動部材１２をモーターによって移動させるようにしたものである。
図９は、この実施の形態２に係る投票用紙整理装置について、天板部３（図１参照）を取り除いた状態の平面図である。本体２の内部には、図示しないスイッチの操作によって、オン／オフできるモーター４０が設けられている。モーター４０は、図示しない電源に接続され、モーター４０によって回転される歯車４１を備えている。また、上方から見たときに、天板部３に形成された溝４（図１参照）の位置、すなわちピン５（図１参照）の移動軌跡と一致するように、４つの棒状の回転部材４２ａ，４２ｂ，４２ｃ，４２ｄが、それぞれの軸方向に関して回転可能に設けられている。回転部材４２ａ〜４２ｄの外周面には、雄ねじが形成されている。溝４の周縁端４ｂ（図１参照）側に相当する、回転部材４２ａの端部には、歯車４３が設けられている。歯車４３が歯車４１に係合していることにより、モーター４０は、４つの回転部材４２ａ〜４２ｄのうち回転部材４２ａを回転するようになっている。回転部材４２ａの近傍及び溝４の周縁端４ｂ側に相当する、回転部材４２ｂ〜４２ｄのそれぞれの端部には、回転部材４２ａ〜４２ｄが軸方向に関して回転可能になるように、ベアリング４７ａ，４７ｂ，４７ｃ，４７ｄが設けられている。溝４の中心端４ａ（図１参照）側に相当する、回転部材４２ａ〜４２ｄの他端にはそれぞれ、かさ歯車４４ａ、４４ｂ、４４ｃ、４４ｄが設けられている。かさ歯車４４ａ〜４４ｄの下方には、かさ歯車４５が、かさ歯車４４ａ〜４４ｄのそれぞれに係合するように設けられている。ここで、かさ歯車４４ａ〜４４ｄ及びかさ歯車４５は、かさ歯車機構を構成する。
【００１７】
図１０は、この実施の形態２に係る投票用紙整理装置を、図９に示されるＸ−Ｘ線に沿って切断したときの側面図である。尚、回転部材４２ｂ，４２ｄの記載は省略している。ベアリング４７ａは、取付部４６ａによって、天板部３に固定されている。また、天板部３には、移動部材１２を挟むように、ガイド部材４８ａが設けられている。移動部材１２の下面には、回転部材４２ａに沿って移動可能な送りナット４９ａが設けられている。すなわち、送りナット４９ａ及び回転部材４２ａは、ピン５に対応して設けられている。
図１１に示されるように、送りナット４９ａには、穴部４９ａ１が設けられており、穴部４９ａ１の内周面には、回転部材４２ａの外周面に形成された雄ねじに係合する雌ねじが形成されている。送りナット４９ａは、穴部４９ａ１に回転部材４２ａを挿入するようにして、回転部材４２ａに設けられている。回転部材４２ａが、その軸方向に関して回転すると、その回転に伴って送りナット４９ａも回転しようとするが、送りナット４９ａの上部に設けられた移動部材１２の回転がガイド部材４８ａによって阻止されるため、送りナット４９ａの回転も阻止され、回転部材４２ａは、穴部４９ａ１内を回転するようになる。これにより、送りナット４９ａは、回転部材４２ａに沿って移動するようになる。ここで、送りナット４９ａは、回転部材４２ａの軸方向に関する回転を、回転部材４２ａの軸方向に沿った移動に変換する回転変換部材を構成する。
ここでは、回転部材４２ａの周辺の構成のみを説明したが、図１０に示される回転部材４２ｃの周辺、及び図１０に示されない回転部材４２ｂ，４２ｄの周辺も、同様な構成となっている。すなわち、回転部材４２ｂ〜４２ｄのそれぞれには、ピン５に対応する送りナット４９ｂ，４９ｃ，４９ｄが設けられている。
【００１８】
次に、実施の形態２に係る投票用紙整理装置の動作について説明する。
実施の形態１と同様にして、投票用紙の束２３の四隅に現れた穴２２に、ピン５を通すようにして（図５参照）、投票用紙の束２３を投票用紙整理装置５０に装着する。次に、図示しないスイッチを操作して、モーター４０を稼動させる。図９及び１０に示されるように、モーター４０が稼動すると歯車４１が回転し、その回転が歯車４３を回転させることによって、回転部材４２ａが、軸方向に関して回転する。回転部材４２ａが回転すると、送りナット４９ａが、かさ歯車４４ａ側から歯車４３側に向かって、回転部材４２ａに沿って移動する。これにより、移動部材１２が送りナット４９ａの移動に伴って、ガイド部材４８ａに沿って移動するため、移動部材１２に設けられたピン５は、溝４に沿って、中心端４ａから周縁端４ｂに向かって移動するようになる。
また、回転部材４２ａが軸方向に関して回転すると、かさ歯車４４ａが回転し、この回転によって、かさ歯車４５が回転する。かさ歯車４５が回転すると、かさ歯車４４ｂ〜４４ｄのそれぞれが回転し、回転部材４２ｂ〜４２ｄのそれぞれが軸方向に関して回転するようになる。これにより、送りナット４９ｂ〜４９ｄのそれぞれが、送りナット４９ａと同様に、回転部材４２ｂ〜４２ｄのそれぞれに沿って移動するので、４本のピン５がそれぞれ、溝４に沿って、中心端４ａから周縁端４ｂに向かって移動するようになる。
この後は、実施の形態１と同様にして、それぞれのピン５に係合する投票用紙２０の束を取り外して、各投票用紙２０の上下及び裏表が同じになるように重ねることにより、各投票用紙２０の上下及び裏表がそろった、整理された１つの束が得られる。
【００１９】
このように、モーターを用いてピン５を移動させることにより、ピン５を移動させる手作業が省かれるので、開票作業をさらに効率的にすることができる。
また、外周面に雄ねじが形成され、モーター４０によって軸方向に関して回転する棒状の回転部材４２ａ〜４２ｄと、回転部材４２ａ〜４２ｄの外周面に形成された雄ねじに係合する雌ねじを有し、ピン５に連結する送りナット４９ａ〜４９ｄとを備えることにより、送りナット４９ａ〜４９ｄは、回転部材４２ａ〜４２ｄの回転に応じて、回転部材４２ａ〜４２ｄに沿って移動するので、ピン５を溝４に沿って移動させることができる。
さらに、送りナット４９ａ〜４９ｄ及び回転部材４２ａ〜４２ｄは、前記４つのピン５に対応して設けられ、４つの回転部材４２ａ〜４２ｄのうち、回転部材４２ａがモーター４０によって回転され、回転部材４２ａの回転を他の回転部材４２ｂ〜４２ｄに伝達するかさ歯車機構を備えるので、１つのモーター４０で、４つのピン５を移動させることができ、投票用紙整理装置５０をコンパクトにすると共に、コストを抑えることができる。
【００２０】
実施の形態３．
次に、この発明の実施の形態３に係る投票用紙整理装置を説明する。実施の形態３に係る投票用紙整理装置は、実施の形態２に対して、移動部材１２がモーター４０によって移動される構造を別の形態にしたものである。
図１２は、この実施の形態３に係る投票用紙整理装置について、天板部３（図１参照）を取り除いた状態の平面図である。モーター４０によって回転される歯車４１に係合する歯車５１を一端に備えた棒状の回転部材５９が、ガイド部材４８ａ，４８ｄ間及びガイド部材４８ｂ，４８ｃ間を通るように設けられている。回転部材５９において、歯車５１近傍、歯車５１が設けられた端部とは反対側の端部、及び中央部分に、ベアリング５２，５３，５４がそれぞれ設けられ、これにより回転部材５９は軸方向に回転可能になっている。ベアリング５２〜５４は、ボルトによって本体２の底面２ａに固定されている。回転部材５９の外周面には、ベアリング５２，５４間及びベアリング５３，５４間のそれぞれに、回転方向が逆の雄ねじが形成されている。ベアリング５２，５４間及びベアリング５３，５４間のそれぞれには、その雄ねじに係合する雌ねじが形成された穴を有する送りナット５５，５６が、それらの穴に回転部材５９を挿入するようにして、回転部材５９に設けられている。ここで、送りナット５５，５６は、回転変換部材を構成する。送りナット５５の両側面には、回転部材５９に対して垂直方向に水平に延びる板状のリンク部材５５ａ，５５ｂが一体形成されている。同様に、送りナット５６の両側面にも、同形状のリンク部材５６ａ，５６ｂが一体形成されている。リンク部材５５ａ，５５ｂ，５６ａ，５６ｂのそれぞれには、溝部５５ａ１，５５ｂ１，５６ａ１，５６ｂ１が設けられている。
【００２１】
図１３に示されるように、移動部材１２の底面には、直方体形状の突起部５７が設けられている。突起部５７の下面５７ａには、ボルト５８が頭部５８ａを下方に向けるようにしてねじ込まれている。また、頭部５８ａは、溝部５５ａ１に係合している。これにより、ボルト５８は、溝部５５ａ１に沿って移動可能になっている。尚、ガイド部材４８ａに設けられた移動部材１２の下方の構造のみについて説明したが、ガイド部材４８ｂ〜４８ｄに設けられた移動部材１２の下方も、同様の構造になっている。
【００２２】
次に、実施の形態３に係る投票用紙整理装置の動作について説明する。
実施の形態１及び２と同様にして、投票用紙の束２３を投票用紙整理装置６０に装着する。図示しないスイッチを操作することによってモーター４０を稼動すると、図１２に示されるように、歯車４１が回転し、その回転が歯車５１を回転させることによって、回転部材５９が、軸方向に関して回転する。回転部材５９が回転すると、送りナット５５も一緒に回転しようとするが、図１３に示されるように、リンク部材５５ａの溝部５５ａ１にボルト５８ａが係合しているため、送りナット５５は回転を阻止される。これにより、図１２に示されるように、送りナット５５は、回転部材５９に沿って、ベアリング５４側からベアリング５２側に向かって移動する。また、同様の原理によって、送りナット５６は、回転部材５９に沿って、ベアリング５４側からベアリング５３側に向かって移動する。
送りナット５５が、ベアリング５４側からベアリング５２側に向かって移動すると、移動部材１２がガイド部材４８ａに沿って移動すると共に、ボルト５８がリンク部材５５ａの溝部５５ａ１に沿って移動するようになる。これにより、移動部材１２に設けられたピン５は、溝部４（図１参照）に沿って、中心端４ａ（図１参照）側から周縁端（図１参照）側に向かって移動する。同様にして、残りの３つのピン５も、溝部４に沿って、中心端４ａ側から周縁端４ｂ側に向かって移動する。
この後は、実施の形態１及び２と同様にして、各投票用紙２０の上下及び裏表がそろった、整理された１つの束が得られる。
【００２３】
このように、外周面に雄ねじが形成され、モーター４０によって軸方向に関して回転する棒状の回転部材５９と、回転部材５９の外周面に形成された雄ねじに係合する雌ねじを有し、回転部材５９が軸方向に関して回転することによって、回転部材５９に沿って移動する送りナット５５，５６と、回転部材５９に沿って送りナット５５，５６が移動するのに伴い、４つのピン５を移動するリンク部材５５ａ，５５ｂとを備えるので、ピン５を溝４に沿って移動させることができる。これにより、実施の形態２と同様、ピン５を移動させる手作業が省かれるので、開票作業をさらに効率的にすることができる。
また、実施の形態２と同様に、１つのモーター４０によって、４つのピン５を移動させることができるので、投票用紙整理装置６０をコンパクトにすると共に、コストを抑えることができる。
【００２４】
実施の形態１〜３では、投票用紙を例にして説明を行ったが、これに限定するものではない。マークシート用紙等、あらゆる用途に使用される紙でもよい。また、用紙の原料も紙に限定されず、プラスチックをコーティングした紙、プラスチック、金属等で製造されたものでも、用紙として適用可能である。
【００２５】
実施の形態２及び３では、１つのモーター４０によって４つのピン５を移動するようにしたが、これに限定するものではない。４つのモーターを設け、それぞれのモーターがそれぞれのピン５を移動させてもよい。また、２つのモーターを設け、それぞれのモーターが２つのピン５を移動させてもよく、３つのモーターを設け、１つのモーターのみが、２つのピン５を移動させてもよい。
【図面の簡単な説明】
【００２６】
【図１】この発明の実施の形態１に係る投票用紙整理装置の斜視図である。
【図２】図１において、天板部３を取り除いた状態の斜視図である。
【図３】実施の形態１に係る投票用紙の平面図である。
【図４】実施の形態１に係る投票用紙の上下及び裏表をばらばらにしてまとめた、投票用紙の束の斜視図である。
【図５】実施の形態１に係る投票用紙整理装置の操作を説明するための図である。
【図６】実施の形態１に係る投票用紙整理装置の操作を説明するための図である。
【図７】実施の形態１に係る投票用紙整理装置の操作を説明するための図である。
【図８】実施の形態１に係る別の形態のストッパーを備えた投票用紙整理装置の斜視図である。
【図９】実施の形態２に係る投票用紙整理装置の天板部３を取り除いた状態の平面図である。
【図１０】実施の形態２に係る投票用紙整理装置を、図９のＸ−Ｘ線に沿って切断したときの側面図である。
【図１１】図１０のＸＩ−ＸＩ線に沿った断面図である。
【図１２】実施の形態３に係る投票用紙整理装置の天板部３を取り除いた状態の平面図である。
【図１３】図１２のＸＩＩＩ−ＸＩＩＩ線に沿った断面図である。
【符号の説明】
【００２７】
１，５０，６０  投票用紙整理装置（用紙整理装置）、５  ピン、６  部材（ストッパー）、２０  投票用紙（用紙）、２１  切欠部、２２  穴、２３  投票用紙の束（用紙の束）、３０  ストッパー、４０  モーター、４２ａ，４２ｂ，４２ｃ，４２ｄ，５９  回転部材、４９ａ，４９ｃ，５５，５６  送りナット（回転変換部材）、44ａ，４４ｂ，４４ｃ，４４ｄ，４５  かさ歯車（かさ歯車機構）、５５ａ，５５ｂ，５５ｃ，５５ｄ  リンク部材。
【図１】
2006264924.tif 000003
【図２】
2006264924.tif 000004
【図３】
2006264924.tif 000005
【図４】
2006264924.tif 000006
【図５】
2006264924.tif 000007
【図６】
2006264924.tif 000008
【図７】
2006264924.tif 000009
【図８】
2006264924.tif 000010
【図９】
2006264924.tif 000011
【図１０】
2006264924.tif 000012
【図１１】
2006264924.tif 000013
【図１２】
2006264924.tif 000014
【図１３】
2006264924.tif 000015